(57)【要約】【課題】  本発明は、凹部内に収容している内容物を変質させることなく、錠剤などの内容物を安全に収容することができるブリスター包装体を提供する。【解決手段】  本発明のブリスター包装体は、錠剤等の内容物を収容している内容物収容凹部を有する容器本体と、この容器本体の上記内容物収容凹部の開口側の面を封緘している蓋材とを含むブリスター包装体において、上記容器本体及び上記蓋材は熱可塑性樹脂シートを含み、上記容器本体における内容物収容凹部の開口端側の面に上記蓋材が接着剤層を介することなく直接接合されて熱融着され、接合面を剥離可能なシール層に形成していることを特徴とする。【選択図】  図１
2019088588.tif 000002
【特許請求の範囲】
【請求項１】
錠剤等の内容物を収容している内容物収容凹部を有する容器本体と、この容器本体の上記内容物収容凹部の開口側の面を封緘している蓋材とを含むブリスター包装体において、上記容器本体及び上記蓋材は熱可塑性樹脂シートを含み、上記容器本体における内容物収容凹部の開口端側の面に上記蓋材が接着剤層を介することなく直接接合されて熱融着され、接合面を剥離可能なシール層に形成していることを特徴とするブリスター包装体。
【請求項２】
容器本体は無延伸ポリプロピレン系樹脂シートを含むと共に、蓋材は延伸ポリプロピレ
ン系樹脂シートを含むことを特徴とする請求項１に記載のブリスター包装体。
【請求項３】
容器本体はポリ塩化ビニル系樹脂シートを含むと共に、蓋材はアモルファスポリエチレンテレフタレートシートを含むことを特徴とする請求項１に記載のブリスター包装体。
【請求項４】
蓋材はアルミニウム箔を含有していることを特徴とする請求項１〜３の何れか１項に記載のブリスター包装体。
【請求項５】
ブリスター包装体は切込み或いはミシン目等の切断線によって複数の包装単体に分割可能に区画されていることを特徴とする請求項１に記載のブリスター包装体。
【請求項６】
各内容物収容凹部の周縁部に、両端が容器本体の両端面に連通した剥離用切込みを設けていることを特徴とする請求項１又は請求項５に記載のブリスター包装体。
【請求項７】
容器本体と蓋材とを剥離可能に熱融着してなるシール層において、剥離用切込みから内容物収容凹部に向かう剥離始端部を弱シール層部としていることを特徴とする請求項１又は請求項６に記載のブリスター包装体。
【発明の詳細な説明】
【技術分野】
【０００１】
本発明は、錠剤やカプセル剤、或いは化粧品等の内容物を収容した収容凹部を有するブリスター包装体に関する。
【背景技術】
【０００２】
従来から、例えば、錠剤やカプセル等の薬剤の収容包装体としては、複数の内容物収容凹部を設けている合成樹脂シートからなる容器本体と、上記内容物収容凹部の開口側の合成樹脂シート面にアルミニウム箔を含む蓋材を接着一体化することによって内容物収容凹部の開口側の面を封緘してなるブリスター包装体（プレススルーパック包装体）が広く知られている。
【０００３】
このように構成しているブリスター包装体によれば、薬剤を服用する際に、容器本体側に設けている内容物収容凹部を蓋材に向かって押圧して押し潰すように変形させながらこの凹部内に収容している薬剤をアルミニウム箔からなる蓋材に押し付けて蓋材を破ることにより容易に開封することができるので、収容凹部内から薬剤を素早く取り出せるといった利点を有するがその反面、幼児でも口や歯などを使って簡単に開封することができるため、ブリスター包装体を不用意に幼児が手の届くところに置き忘れた場合には、幼児が開封して誤飲事故が発生する虞れがあり、安全性において問題がある。
【０００４】
このような問題点を解消するために、例えば、特許文献１或いは特許文献２に記載されているように、複数の内容物収容凹部を設けた容器本体をポリ塩化ビニル或いはポリカーボネートからなるシートによって形成し、蓋体をポリエチレンやポリエステルなどの靱性を有する破封防止フィルムによって形成して、上記容器本体の裏面にこの蓋体を剥離可能に接着することによって内容物収容凹部を密封してなるブリスター包装体を形成し、さらに、このブリスター包装体を碁盤目状に設けたミシン目によって中央に一つの内容物収容凹部を有する複数の包装単体に区画していると共に、各包装単体における内容物収容凹部の周縁部に、両端が隣接するミシン目に連続した剥離用ミシン目を設けてなるブリスター包装体が開発された。
【０００５】
このように構成したブリスター包装体によれば、錠剤を収容している凹部を開封するには、まず、ミシン目から一つの包装単体を切り取り、次いで、上記剥離用ミシン目から内容物収容凹部を蓋体部に対して捲り上げるようにして剥離する操作を必要とし、幼児ではこのような操作を行うことができないために誤飲事故を防止することができる。
【先行技術文献】
【特許文献】
【０００６】
【特許文献１】実公昭５４−１１２５６号公報
【特許文献２】実公昭５５−４４７７４号公報
【発明の概要】
【発明が解決しようとする課題】
【０００７】
上記特許文献１、２に記載のブリスター包装体において、破封防止フィルムの内面全面に接着剤層が形成されており、この接着剤層を介して破封防止フィルムと容器本体とが接着されている。
【０００８】
破封防止フィルムの内面に形成された接着剤層は通常、接着剤層を形成する合成樹脂を溶媒に溶解させてなる塗工液を破封防止フィルムの内面に塗工した後、溶媒を蒸発、除去させることによって形成されている。
【０００９】
しかしながら、塗工液中の溶媒を完全に除去することはできず、接着剤層中に溶媒が残存している一方、内容物収容凹部内に収容した錠剤は接着剤層に接触することから、内容物収容凹部内に収容した錠剤が接着剤層中に残存した溶媒によって変質する虞れがあるという問題点を有する。
【００１０】
本発明はこのような問題点に鑑みてなされたもので、その目的とするところは、凹部内に収容している内容物を変質させることなく、錠剤などの内容物を安全に収容することができるブリスター包装体を提供する。
【課題を解決するための手段】
【００１１】
上記目的を達成するために、本発明のブリスター包装体は、請求項１に記載したように、錠剤等の内容物を収容している内容物収容凹部を有する容器本体と、この容器本体の上記内容物収容凹部の開口側の面を封緘している蓋材とを含むブリスター包装体において、上記容器本体及び上記蓋材は熱可塑性樹脂シートを含み、上記容器本体における内容物収容凹部の開口端側の面に上記蓋材が接着剤層を介することなく直接接合されて熱融着され、接合面を剥離可能なシール層に形成していることを特徴とする。
【発明の効果】
【００１２】
本発明のブリスター包装体によれば、錠剤等の内容物を収容している内容物収容凹部を有する容器本体とこの容器本体の上記凹部の開口側の面を封緘している蓋材とは、熱可塑性樹脂シートを含み、互いに接合した対向面が接着剤層を介することなく直接、熱融着されていて剥離可能なシール層に形成されているので、内容物収容凹部内に収容されている内容物が残存溶媒によって変質するようなことはない。
【００１３】
上記ブリスター包装体において、容器本体は無延伸ポリプロピレン系樹脂シートを含むと共に、蓋材は延伸ポリプロピレン系樹脂シートを含む場合は、大人であれば蓋材を容器本体から容易に剥離することができる一方、幼児には蓋材を容器本体から容易に剥離することができない程度のシール力（熱融着力）を有するシール層を形成することができ、幼児による誤飲事故を概ね防止することができる。
【００１４】
上記ブリスター包装体において、容器本体はポリ塩化ビニル系樹脂シートを含むと共に、蓋材はアモルファスポリエチレンテレフタレートシートを含む場合は、大人であれば蓋材を容器本体から容易に剥離することができる一方、幼児には蓋材を容器本体から容易に剥離することができない程度のシール力（熱融着力）を有するシール層を形成することができ、幼児による誤飲事故を概ね防止することができる。
【００１５】
上記ブリスター包装体において、蓋材がアルミニウム箔を含む場合、ブリスター包装体に防湿性を付与することができ、また、ブリスター包装体を切込み或いはミシン目等の切断線によって複数の包装単体に分割可能に区画しておくことによって、内容物を取り出す際に、切断線から一つの包装単体を切り取って容易に服用することができるのは勿論、内容物収容凹部の周縁部に、両端が容器本体の両端面に連通した剥離用切込みを設けているので、この剥離用切り込みから蓋材を捲るようにして容器本体の内容物収容凹部から剥離することにより、開封することができる。
【００１６】
このように、蓋材が上記のように破れ難い延伸ポリプロピレン系樹脂シート等の熱可塑性樹脂フィルムによって形成されているので、幼児が口や歯などを使って開封するのを防止できると共に、開封するには上記剥離用切込みから蓋材を内容物収容凹部に対して捲り上げる操作を必要とするので、幼児ではこのような操作をすることができず、従って、誤飲事故を防止することができる。
【００１７】
また、上記ブリスター包装体において、容器本体と蓋材とを剥離可能に熱融着してなるシール層において、剥離用切込みから内容物収容凹部に向かう剥離始端部を弱シール層部に形成しているので、上記剥離用切込みから蓋材を内容物収容凹部に対して捲り上げると、蓋材が上記弱シール層部によって自然と開封方向に内容物収容凹部から剥離されて簡単に開封することができる。
【図面の簡単な説明】
【００１８】
【図１】本発明ブリスター包装体の斜視図。
【図２】その裏面図。
【図３】図１におけるＩ−Ｉ線断面図。
【図４】その一つの包装単体部分の拡大縦断正面図。
【図５】包装単体の斜視図。
【図６】開封直前の状態を示す斜視図。
【図７】開封している状態の斜視図。
【図８】その縦断正面図。
【図９】本発明ブリスター包装体の変形例を示す斜視図。
【図１０】その裏面図。
【図１１】図９におけるI'−I'線断面図。
【図１２】その一つの包装単体の斜視図。
【図１３】開封している状態の縦断側面図。
【発明を実施するための形態】
【００１９】
本発明の具体的な実施例を図面について説明すると、図１〜図４において、ブリスター包装体Ａは、錠剤やカプセル等の薬剤或いは化粧品（以下、内容物ｂとする）を収容している複数の内容物収容凹部２を設けた容器本体１と、この容器本体１における上記内容物収容凹部２の開口側の面を全面的に封緘している蓋材３とから構成されている。
【００２０】
上記容器本体１は一定厚みを有する長方形状の熱可塑性樹脂シート、好ましくは無延伸熱可塑性樹脂シートを含み、この無延伸熱可塑性樹脂シートに、該シートの長さ方向及び幅方向に一定間隔毎に上記内容物収容凹部２（図においては上方に向かって膨出、成形している）を形成している。なお、図においては内容物収容凹部２を二列にして各列に５個宛設けているが、本発明はこの配列に限定されることはない。
【００２１】
一方、内容物収容凹部２を封緘している上記蓋材３は破れ難い熱可塑性樹脂シート、好ましくは延伸熱可塑性樹脂シートを含み、上記容器本体１を形成している無延伸熱可塑性樹脂シートと同大、同形であって、容器本体１における内容物収容凹部２の開口端側の面に対向するこの蓋材３の面に接着剤を塗布することなく（接着剤層を形成することなく）、その面を容器本体１に重ね合わせて内容物収容凹部２の開口端周囲の平面部との接合面を熱融着することにより、剥離可能なシール層４に形成している。
【００２２】
上記蓋材３における容器本体１との接合面と反対側の面（以下、裏面とする）には、必要に応じて第一印刷インキ層５、アルミニウム箔６、第二印刷インキ層７が積層状態に設けられている。
【００２３】
さらに、上記蓋材３の裏面から容器本体１に向かって隣接する内容物収容凹部２、２間にはハーフカット或いはミシン目からなる切断線８が碁盤目状に設けられていて、この切断線８により、ブリスター包装体Ａを、中央に一つの内容物収容凹部２を有し、且つ、この内容物収容凹部２の開口端周囲の周縁部2aに形成された切断線８によって囲まれた蓋材片3aが上記シール層３によって剥離可能に密着してなる複数（図においては１０個）の包装単体ａに区画している。
【００２４】
また、上記容器本体１における長辺側の両側端面と内容物収容凹部２との間の両側部には、ブリスター包装体Ａの幅方向の中央部に全長に亘って設けている上記長さ方向の切断線８に平行で、幅方向に設けている切断線８に直交するようにしてその表面からシール層４に達する又はこのシール層４の近傍部に達する深さを有する剥離用切込み９、９が全長に亘って設けられてあり、上記長さ方向及び幅方向に設けている切断線８、８からブリスター包装体Ａを複数の包装単体ａに分割した際に、各包装単体ａの一側部に、剥離用切込み９とこの剥離用切込み９に平行な包装単体ａの一側端面との間に摘まみ片10が形成されるように構成している。なお、剥離用切込み９は直状に形成されているが、連続波形等のように形成しておいてもよい。
【００２５】
上記容器本体１と蓋材３とを剥離可能に熱融着してなるシール層４において、剥離用切込み９からこの剥離用切込み９に対向している内容物収容凹部２に向かう剥離始端部を弱シール層部4aとしてあり、このシール層部4a以外の容器本体１と蓋材３とのシール層部をこの弱シール層部4aよりも熱融着力の大きい強シール層部としている。
【００２６】
このように構成したブリスター包装体Ａの内容物収容凹部２内に収容されている薬剤等の内容物ｂを内容物収容凹部２から取り出すには、まず、切断線８から図５に示すように一個の包装単体ａを切り取る。
【００２７】
次いで、図６に示すように、この包装単体ａに設けている剥離用切込み９と、この剥離用切込み９に平行な包装単体ａの端面との間の内容物収容凹部２の周縁部を摘まみ片10として、この摘まみ片10を内容物収容凹部２側の周縁部2aに対して剥離用切込み９から下方に捲ると、図７、図８に示すように、摘まみ片10に連なっている蓋材片3aが内容物収容凹部２の周縁部2aから剥離して内容物収容凹部２が開封され、内容物収容凹部２内から内容物ｂを取り出すことができる。
【００２８】
この際、内容物収容凹部２の周縁部2aと蓋材片3aとの接合面を熱融着することによって設けられたシール層４は剥離用切込み９からこの剥離用切込み９に対向している内容物収容凹部２に向かう剥離始端部を弱シール層部4aとしているので、上記のように摘まみ片10を捲ると、摘まみ片10に連なっている蓋材片3aが内容物収容凹部２側に向かってこの内容物収容凹部２の周縁部2aから殆ど抵抗なく剥離しながら簡単に開封することができる。
【００２９】
また、容器本体１と蓋材３とは、接着剤層を介することなく直接、剥離可能に熱融着しているので、容器本体１の内容物収容凹部２内に収容された内容物ｂは、蓋材３の接合面に接触するものの、従来のブリスター包装体に形成されている接着剤層に接触するようなことはなく、内容物収容凹部２内に収容された内容物ｂが、接着剤層に残存している溶剤によって変質するようなことはない。
【００３０】
容器本体１及び蓋材３を構成している熱可塑性樹脂シートを構成している熱可塑性樹脂は、容器本体１と蓋材３とを大人であれば容易に剥離可能な程度に熱融着させることができる一方、幼児には容易に剥離できない程度に容器本体１と蓋材３とを互いに剥離可能に熱融着させることができるように適宜、選択すればよい。大人であれば容易に剥離することができ且つ幼児には容易に剥離できない程度の容器本体１と蓋材３との熱融着強度の目安としては、６．０〜１２．０Ｎ／１５ｍｍが挙げられる。なお、熱融着強度は、ＪＩＳ  Ｚ０２３８に準拠して剥離速度が５０ｍｍ／分、剥離角度が９０°の条件にて測定された値をいう。
【００３１】
容器本体１及び蓋材３を構成している熱可塑性樹脂の組合せとしては、（１）容器本体が無延伸ポリプロピレン系樹脂シートを含み且つ蓋材が延伸ポリプロピレン系樹脂シートを含む組合せ、（２）容器本体がポリ塩化ビニル系樹脂シートを含み且つ蓋材がアモルファスポリエチレンテレフタレートシートを含む組合せが好ましい。上記（１）又は上記（２）の組合せとすることによって、容器本体１と蓋材３とを通常の熱融着条件でもって、容器本体１と蓋材３とを大人であれば容易に剥離可能な程度に互いに剥離可能に直接、熱融着一体化させることができる一方、幼児には容易に剥離できない程度に容器本体１と蓋材３とを互いに剥離可能に直接、熱融着一体化させることができる。上記（２）の組合せにおいて、容器本体が無延伸ポリ塩化ビニル系樹脂シートを含み且つ蓋材がアモルファスポリエチレンテレフタレートシートを含むことが好ましく、容器本体が無延伸ポリ塩化ビニル系樹脂シートを含み且つ蓋材が延伸アモルファスポリエチレンテレフタレートシートを含むことがより好ましい。
【００３２】
無延伸ポリプロピレン系樹脂シートとは、延伸されていないポリプロピレン系樹脂シートをいう。延伸ポリプロピレン系樹脂とは、延伸されたポリプロピレン系樹脂シートをいう。無延伸ポリ塩化ビニル系樹脂シートとは、延伸されていないポリ塩化ビニル系樹脂シートをいう。延伸アモルファスポリエチレンテレフタレートシートは、延伸されたアモルファスポリエチレンテレフタレートシートをいう。
【００３３】
ポリプロピレン系樹脂シートを構成しているポリプロピレン系樹脂としては、特に限定されず、例えば、ホモポリプロピレン、プロピレンと他のオレフィンとの共重合体などが挙げられる。ポリプロピレン系樹脂は、単独で用いられても二種以上が併用されてもよい。又、プロピレンと他のオレフィンとの共重合体は、ブロック共重合体、ランダム共重合体の何れであってもよい。ポリプロピレン系樹脂中におけるプロピレン成分の含有量は、５０質量％以上が好ましく、８０質量％以上がより好ましい。
【００３４】
なお、プロピレンと共重合されるオレフィンとしては、例えば、エチレン、１−ブテン、１−ペンテン、４−メチル−１−ペンテン、１−ヘキセン、１−オクテン、１−ノネン、１−デセンなどのα−オレフィンなどが挙げられ、エチレンが好ましい。
【００３５】
ポリ塩化ビニル系樹脂シートを構成しているポリ塩化ビニル系樹脂とは、塩化ビニルを単量体成分として含有している合成樹脂をいう。ポリ塩化ビニル系樹脂としては、例えば、ポリ塩化ビニル単独重合体、塩化ビニルモノマーと該塩化ビニルモノマーと共重合可能な不飽和結合を有する単量体との共重合体などが挙げられる。
【００３６】
塩化ビニルモノマーと共重合可能な不飽和結合を有するモノマーとしては、例えば、エチレン、プロピレン、ブチレンなどのα−オレフィン類、酢酸ビニル、プロピオン酸ビニルなどのビニルエステル類、ブチルビニルエーテル、セチルビニルエーテルなどのビニルエーテル類、メチル（メタ）アクリレート、エチル（メタ）アクリレート、ブチルアクリレートなどの（メタ）アクリル酸エステル類、スチレン、α−メチルスチレンなどの芳香族ビニル類；Ｎ−フェニルマレイミド、Ｎ−シクロヘキシルマレイミドなどのＮ−置換マレイミド類などが挙げられる。
【００３７】
アモルファスポリエチレンテレフタレートは、例えば、エチレングリコールの一部を１，４−シクロヘキサンジメタノールで置換し、ベースのポリエチレンテレフタレート（ＰＥＴ）の結晶化速度を制御することによって製造されたポリエチレンテレフタレートをいう。
【００３８】
又、アモルファスポリエチレンテレフタレートシートは、ポリエチレンテレフタレートを２６０〜３５０℃、好ましくは２８０〜３２０℃で溶融し、例えば、押出し成形法やインフレーション法などの汎用の方法を用いて成形してシート化することにより容易に製造することができる。
【００３９】
図９〜図１３は本発明ブリスター包装体Ａの変形例を示すもので、上記実施例においては、上記容器本体１における長辺側の両側端面と内容物収容凹部２との間の両側部に剥離用切込み９、９をブリスター包装体Ａの幅方向の中央部に全長に亘って設けている上記長さ方向の切断線８に平行にして設けているが、この変形例においては、ブリスター包装体Ａの幅方向に設けられている切断線８に平行にして、この切断線８と内容物収容凹部２との間の部分及びブリスター包装体Ａの端部側ではその端面と内容物収容凹部２との間の部分に容器本体１の表面からシール層４に達する又はシール層４の近傍部に達する深さを有し、且つ、両端が包装単体ａの両端面に連通した剥離用切込み9'が設けられている。その他の構成については上記実施例と同様であるので、同一部分には同一符号を付して詳細な説明を省略する。
【００４０】
このように構成したブリスター包装体Ａの内容物収容凹部２内に収容されている薬剤等の内容物ｂを内容物収容凹部２から取り出すには、上記実施例と同様に、切断線８から図12に示すように一個の包装単体ａを切り取ったのち、図13に示すように、この包装単体ａに設けている剥離用切込み9'と、この剥離用切込み9'に平行な包装単体ａの端面との間の内容物収容凹部２の周縁部を摘まみ片10として、この摘まみ片10を内容物収容凹部２側の周縁部2aに対して剥離用切込み9'から下方に捲ると、摘まみ片10に連なっている蓋材片3aが内容物収容凹部２の周縁部2aから剥離して内容物収容凹部２が開封され、内容物収容凹部２内から内容物ｂを取り出すことができる。
【符号の説明】
【００４１】
Ａ    ブリスター包装体
ａ  包装単体
ｂ  内容物
１  容器本体
２  内容物収容凹部
2a  周縁部
３  蓋材
3a  蓋材片
４  シール層
4a  弱シール層
６  アルミニウム箔
８  切断線
９  剥離用切込み
【図１】
2019088588.tif 000003
【図２】
2019088588.tif 000004
【図３】
2019088588.tif 000005
【図４】
2019088588.tif 000006
【図５】
2019088588.tif 000007
【図６】
2019088588.tif 000008
【図７】
2019088588.tif 000009
【図８】
2019088588.tif 000010
【図９】
2019088588.tif 000011
【図１０】
2019088588.tif 000012
【図１１】
2019088588.tif 000013
【図１２】
2019088588.tif 000014
【図１３】
2019088588.tif 000015